(57)【要約】【課題】生体への外科的処置時に発生するガスが手術室内に滞留することを防止することができる手術用局所排気システムを提供する。【解決手段】手術用局所排気システム１０は、生体に外科的処置を施した際に発生する煙霧Ｇ１を吸引する吸引口２６と、吸引口２６から吸引された煙霧Ｇ１を脱臭してから排気する脱臭フィルタ部２８と、吸引口２６と脱臭フィルタ部２８との間を連通し、吸引口２６を煙霧Ｇ１の発生位置に臨ませて配置可能な吸引チューブ３０とを備え、例えば、電気メス２０による生体組織の焼灼によって発生した煙霧Ｇ１を吸引し清浄化する。【選択図】図１
2014204901.tif 000002
【特許請求の範囲】
【請求項１】
生体に外科的処置を施した際に発生するガスを吸引する吸引口と、
前記吸引口から吸引されたガスを脱臭してから排気する脱臭フィルタ部と、
前記吸引口と前記脱臭フィルタ部との間を連通し、前記吸引口を前記ガスの発生位置に臨ませて配置可能なチューブと、
を備えることを特徴とする手術用局所排気システム。
【請求項２】
請求項１記載の手術用局所排気システムにおいて、
内部に前記脱臭フィルタ部を収容し、先端に前記吸引口を設けた前記チューブの基端が接続された本体筐体を備え、該本体筐体は台車構造を有することを特徴とする手術用局所排気システム。
【請求項３】
請求項１又は２記載の手術用局所排気システムにおいて、
前記ガスは、前記生体を焼灼した際に発生し、臭気と粒子を含む煙霧であり、
前記脱臭フィルタ部は、前記臭気を除去する第１フィルタと、前記粒子を除去する第２フィルタと、を備えることを特徴とする手術用局所排気システム。
【発明の詳細な説明】
【技術分野】
【０００１】
本発明は、生体に外科的処置を施した際に発生するガスを脱臭して清浄化する手術用局所排気システムに関する。
【背景技術】
【０００２】
手術室において電気メスを用いた生体組織の焼灼を行った場合には、粒子や臭気を含むガス（煙霧）が発生する。通常、これらの粒子や臭気を含むガスは手術室内に拡散し、空調装置の換気能力に依存して室外へと排出される。このため、空調装置の能力等によっては、粒子や臭気が長時間にわたって室内に滞留してしまうことがあった。粒子の滞留は感染症発症の増加の一因となり、臭気の滞留は術者に不快感を与え、作業効率を悪化させることになる。
【０００３】
一方、内視鏡や腹腔鏡を用いる低侵襲手術時には、電気メス使用時の発煙が手術中の視野を妨げるとして排煙装置が用いられる場合もある（特許文献１参照）。
【先行技術文献】
【特許文献】
【０００４】
【特許文献１】特開平９−９４２５２号公報
【発明の概要】
【発明が解決しようとする課題】
【０００５】
ところが、特許文献１に記載されているような排煙装置は、煙霧を吸引する吸引口を生体に穿刺したトラカールの先端に設けるものであり、一般的な開腹術や開胸術に適用することは困難である。さらに、腹腔内での内視鏡の視野の確保にのみ重点を置いているため、腹腔内から吸引した煙霧は、排煙装置から手術室内へと直接的に排出されることが一般的であり、手術室内に粒子や臭気が滞留してしまうことを防ぐことはできない。
【０００６】
本発明は、上記従来技術の課題を考慮してなされたものであり、生体への外科的処置時に発生するガスが手術室内に滞留することを防止することができる手術用局所排気システムを提供することを目的とする。
【課題を解決するための手段】
【０００７】
本発明に係る手術用局所排気システムは、生体に外科的処置を施した際に発生するガスを吸引する吸引口と、前記吸引口から吸引されたガスを脱臭してから排気する脱臭フィルタ部と、前記吸引口と前記脱臭フィルタ部との間を連通し、前記吸引口を前記ガスの発生位置に臨ませて配置可能なチューブとを備えることを特徴とする。
【０００８】
このような構成によれば、チューブによって吸引口をガスの発生位置に臨ませて近接配置することができるため、臭気や粒子を含むガスを効率よく吸引し、脱臭フィルタ部によって脱臭し清浄化することができる。このため、手術時の術野をガスが妨げることを防止しつつ、手術室内にガス中の粒子や臭気が滞留することを防止できる。
【０００９】
内部に前記脱臭フィルタ部を収容し、先端に前記吸引口を設けた前記チューブの基端が接続された本体筐体を備え、該本体筐体は台車構造を有すると、当該手術用局所排気システムが必要となる手術室へと該システムを容易に移動させることができ、該システムが不要な手術室では容易に室外に退避させておくことができる。
【００１０】
前記ガスは、前記生体を焼灼した際に発生し、臭気と粒子を含む煙霧であり、前記脱臭フィルタ部は、前記臭気を除去する第１フィルタと、前記粒子を除去する第２フィルタとを備えると、臭気除去効果と粒子除去効果に加えて、両者を組み合わせた清浄化効果を発揮することができる。
【発明の効果】
【００１１】
本発明によれば、臭気や粒子を含むガスを効率よく吸引し、脱臭フィルタ部によって脱臭し清浄化することができる。このため、手術時の術野をガスが妨げることを防止しつつ、手術室内にガス中の粒子や臭気が滞留することを防止できる。
【図面の簡単な説明】
【００１２】
【図１】図１は、本発明の一実施形態に係る手術用局所排気システムを備えた手術室の説明図である。
【図２】図２は、図１に示す手術室を正面側から見た説明図である。
【図３】図３は、図２に示す各位置での術野粒子濃度を測定した実験結果を示すグラフである。
【図４】図４は、図２に示す各位置での術野粒子濃度を手術用局所排気システムを使用しない場合と比較したグラフである。
【発明を実施するための形態】
【００１３】
以下、本発明に係る手術用局所排気システムについて、このシステムを用いて外科的処置が行われる手術室との関係で好適な実施の形態を挙げ、添付の図面を参照しながら詳細に説明する。
【００１４】
図１は、本発明の一実施形態に係る手術用局所排気システム１０を備えた手術室１２の説明図であり、手術室１２内の様子を側面視で図示すると共に、手術用局所排気システム１０の本外筐体１４を断面図とし、その内部構造を模式的に図示したものである。
【００１５】
手術用局所排気システム１０（以下、単に「排気システム１０」ともいう）は、患者１６に対して医師１８が電気メス２０を用いて焼灼を行う際に発生する臭気及び粒子を含むガスＧ１（以下、「煙霧Ｇ１」という）を局所的に吸引・脱臭し、清浄化された清浄ガスＧ２を排気することにより、手術室１２内の環境を清浄な状態に維持するためのものである。排気システム１０は、電気メス２０以外の医療器具を用いた外科的処置で発生するガスの吸引についても適用可能であり、さらには人以外の動物等の生体に対する外科的処置についても適用可能である。
【００１６】
図１に示すように、手術室１２は、一般的な病院内に設けられる公知の手術室である。手術室１２には、患者１６が横臥される手術用ベッド２２と、患者１６を照らす無影灯２４と、患者１６に対する電気メス２０での焼灼によって処置部付近で局所的に発生する煙霧Ｇ１を吸引する排気システム１０と、図示しない各種の医療器具等とが配置されている。
【００１７】
排気システム１０は、煙霧Ｇ１を吸引するための吸引口（吸込口）２６と、吸引口２６から吸引された煙霧Ｇ１を脱臭してから排気する脱臭フィルタ部２８を内装した本体筐体１４と、吸引口２６と脱臭フィルタ部２８との間を連通する吸引チューブ（チューブ）３０と、脱臭フィルタ部２８で清浄化された清浄ガスＧ２を室内に排気する排気チューブ３２とを備える。
【００１８】
吸引口２６は、吸引チューブ３０の先端に接続された開口部である。吸引口２６は、吸引チューブ３０の先端開口部に接続された円筒状若しくはロート状等の部材であってもよく、又は吸引チューブ３０の先端開口部自体をそのまま利用したものであってもよい。
【００１９】
本体筐体１４は、その上面に吸引チューブ３０の基端が接続され、その背面下部に排気チューブ３２の基端が接続された箱体であり、下面に設けた車輪３３によって技師が容易に移動させることができる台車構造を有する。本体筐体１４の内部には、脱臭フィルタ部２８と、脱臭フィルタ部２８に煙霧Ｇ１を通過させながら送風するブロア３４とが搭載されている。
【００２０】
脱臭フィルタ部２８は、吸引チューブ３０から排気チューブ３２へと送られる煙霧Ｇ１中の臭気及び粒子を除去して清浄化するためのものである。脱臭フィルタ部２８は、本体筐体１４の内部における吸引チューブ３０から排気チューブ３２への煙霧Ｇ１の流通方向で、上流側から下流側に向かって順に、プレフィルタ３６と、ケミカルフィルタ３８と、ＨＥＰＡフィルタ４０とを備える。脱臭フィルタ部２８には、さらに、当該脱臭フィルタ部２８内での微生物繁殖防止のための紫外線照射装置４２が備えられている。
【００２１】
プレフィルタ３６としては、一般的な空調用や除塵用として利用される公知の除塵用フィルタ等を用いるとよい。ケミカルフィルタ３８としては、臭気やガスの除去に適した一般的な吸着フィルタ等を用いるとよく、例えば、活性炭、ＡＣＦ（繊維状活性炭）、化学吸着剤、イオン交換樹脂、ゼオライト、活性アルミナ等からなるものを用いるとよい。ケミカルフィルタ３８には、臭気の除去に適した触媒を担持しておいてもよい。ＨＥＰＡフィルタ４０としては、粒子の除去に適した一般的な空調用や除塵用として利用される公知の高性能エアフィルタを用いるとよい。粒子除去用として、ＨＥＰＡフィルタ４０に代えて、ＭＥＰＡフィルタ（中性能フィルタ）を用いてもよい。
【００２２】
ブロア３４としては、一般的な空調用や除塵用として利用される公知の送風機（吸引機）を用いるとよい。本実施形態では、図１に示すように、ブロア３４をプレフィルタ３６とケミカルフィルタ３８との間に設置している。
【００２３】
吸引チューブ３０は、その先端に設けられた吸引口２６を所望の位置で所望の向きや姿勢に維持できるように、所定の柔軟性と形状記憶性とを備えたフレキシブルチューブである。排気チューブ３２は、手術室１２内で邪魔にならない位置に清浄ガスＧ２を排出できるように、吸引チューブ３０と同様なフレキシブルチューブを用いることが好ましい。排気チューブ３２の先端開口部が清浄ガスＧ２の排気口４４となっている。
【００２４】
次に、本実施形態に係る手術用局所排気システム１０の使用方法の一例について説明する。
【００２５】
排気システム１０を使用する際には、図１に示すように、台車構造の本体筐体１４を手術が行われる手術室１２内の所望の位置に移動させ、必要に応じて図示しないロック手段等を利用して車輪３３の転回を禁止する。続いて、吸引チューブ３０を変形させて吸引口２６の位置を調整し、吸引口２６を患者１６の処置部（開腹部や開胸部での電気メス２０による焼灼位置）に近接させると共に、該処置部に臨んで開口した姿勢とする。
【００２６】
医師１８による電気メス２０の使用に応じてブロア３４を適宜駆動することにより、患者１６の処置部から発生する煙霧Ｇ１を吸引口２６によって局所的に吸引することができる。吸引口２６から吸引された煙霧Ｇ１は、ブロア３４の送風作用下にプレフィルタ３６を通過して粗い粒子や塵等が除去された後、ケミカルフィルタ３８とＨＰＥＡフィルタ４０とを通過する際に残りの粒子と臭気が除去されて清浄ガスＧ２となり、排気チューブ３２から排気口４４を介して手術室１２内に戻される。
【００２７】
以上のように、本実施形態に係る排気システム１０によれば、吸引チューブ３０によって吸引口２６を煙霧Ｇ１の発生位置に臨ませて近接配置することができるため、煙霧Ｇ１を効率よく吸引し、脱臭フィルタ部２８によって脱臭し清浄化することができる。このため、手術時の術野を煙霧Ｇ１が妨げることを防止しつつ、手術室１２内に煙霧Ｇ１中の粒子や臭気が滞留することを防止できる。従って、術者の局所清浄度向上による感染症発症率を低減し、不快臭気の除去による医師１８の作業効率の向上が可能となり、つまり清浄な室内環境を維持しておくことが可能となる。
【００２８】
排気システム１０では、脱臭フィルタ部２８を収容した本体筐体１４に台車構造を搭載しているため、電気メス２０による処置が行われる所望の手術室１２へと容易に移動させることができる。換言すれば、排気システム１０が不要な手術室１２では、排気システム１０を容易に室外や室内の隅部に退避させておくことができる。また、清浄化後の清浄ガスＧ２は、排気チューブ３２によって再び手術室１２内に戻されるため、排気される清浄ガスＧ２の排気チューブ３２を長尺化させて室外へと設置する構造が不要であり、利便性や設置自由度が高い。
【００２９】
脱臭フィルタ部２８には、煙霧Ｇ１中の主に臭気を除去するケミカルフィルタ（第１フィルタ）３８と、主に粒子を除去するＨＥＰＡフィルタ（第２フィルタ）４０とが備えられるため、臭気除去効果と粒子除去効果に加えて、両者を組み合わせた相乗的な清浄化効果を発揮することができる。脱臭フィルタ部２８に設置されるフィルタ構成は、適宜変更可能であることは勿論である。
【００３０】
次に、本実施形態に係る手術用局所排気システム１０を用い、電気メス２０によって生体組織への焼灼を行った場合の術野での煙霧Ｇ１の除去効果についてシミュレーションによる実験結果を示して説明する。
【００３１】
図２は、図１に示す手術室１２を正面側から見た説明図であり、煙霧Ｇ１の粒子濃度を１０点の測定点（位置Ｐ１〜Ｐ１０）で測定する様子を明示すると共に、排気システム１０については吸引口２６以外の構成を省略して図示している。図３は、図２に示す各位置Ｐ１〜Ｐ１０での術野粒子濃度を測定した実験結果を示すグラフであり、横軸は測定点Ｐ１〜Ｐ１０であり、縦軸は術野粒子濃度（個／ｃｆ）である。図４は、図２に示す各位置Ｐ１〜Ｐ１０での術野粒子濃度を排気システム１０を使用しない場合と比較したグラフであり、横軸は測定点Ｐ１〜Ｐ１０であり、縦軸は排気システム１０を使用しない形態（０）に対する各測定値（１）〜（４）の比率である。
【００３２】
実験は、図１及び図２に示すように、排気システム１０の吸引口２６を処置部に近接させて臨ませて配置し、図２に示すように、手術室１２の床面から高さＨ１（１０００ｍｍ）での患者１６の身長方向に沿った位置Ｐ１，Ｐ２，Ｐ３，Ｐ４，Ｐ５と、手術室１２の床面から高さＨ２（８００ｍｍ）での患者１６の身長方向に沿った位置Ｐ６，Ｐ７，Ｐ８，Ｐ９，Ｐ１０とからなる合計１０点での粒子濃度を測定した。手術用ベッド２２での患者１６の横臥面の高さＨ０は、７００ｍｍとした。
【００３３】
この際、図３及び図４中の（１）〜（４）に示すように、ブロア３４による排気システム１０の吸引量（ｍ３／ｍｉｎ）は、０．１ｍ３／ｍｉｎと１．０ｍ３／ｍｉｎとに変化させると共に、それぞれについて吸引口２６の口径を１００ｍｍ（１００φ）と３００ｍｍ（３００φ）とに変化させてシミュレーションを行った（図３及び図４中の（１）〜（４）参照）。図３及び図４中の（０）は、当該排気システム１０を用いなかった場合の結果である。
【００３４】
図３及び図４から明らかなように、この実験により、（４）１．０ｍ３／ｍｉｎ，１００φの時が、術野の局所清浄化に最も効果的であることがわかった。特に、この（４）１．０ｍ３／ｍｉｎ，１００φの時には、全ての測定点（位置Ｐ１〜Ｐ１０）において、（０）排気なしに比べて大幅に粒子濃度を低減可能であることが確認された。
【００３５】
なお、本発明は、上記した実施形態に限定されるものではなく、本発明の主旨を逸脱しない範囲で自由に変更できることは勿論である。
【符号の説明】
【００３６】
１０  手術用局所排気システム
１２  手術室
１４  本体筐体
１６  患者
１８  医師
２０  電気メス
２２  手術用ベッド
２６  吸引口
２８  脱臭フィルタ部
３０  吸引チューブ
３２  排気チューブ
３３  車輪
３４  ブロア
３６  プレフィルタ
３８  ケミカルフィルタ
４０  ＨＥＰＡフィルタ
４２  紫外線照射装置
４４  排気口
Ｇ１  ガス，煙霧
Ｇ２  清浄ガス
【図１】
2014204901.tif 000003
【図２】
2014204901.tif 000004
【図３】
2014204901.tif 000005
【図４】
2014204901.tif 000006